(57)【要約】【課題】レンズ鏡筒内における移動時のガタつきを防止する機構を備える小型のレンズ室を有するカメラファインダーを提供することができる。【解決手段】複数のレンズ１４ａを収容するレンズ室１４をレンズ鏡筒１６内において、前記複数のレンズの光軸方向に移動可能に構成されたカメラファインダーであって、前記レンズ室の外壁に、前記レンズ室から前記レンズ鏡筒の内壁を付勢するバネ部材３４を備える。【選択図】図６
2014071273.tif 000002
【特許請求の範囲】
【請求項１】
複数のレンズを収容するレンズ室をレンズ鏡筒内において、前記複数のレンズの光軸方向に移動可能に構成されたカメラファインダーであって、
前記レンズ室の外壁に、前記レンズ室から前記レンズ鏡筒の内壁を付勢するバネ部材を備えることを特徴とするカメラファインダー。
【請求項２】
前記バネ部材は、前記光軸方向の前後に設けられていることを特徴とする請求項１記載のカメラファインダー。
【請求項３】
前記バネ部材は、前記レンズ室を前記光軸方向に移動させるために負荷をかける力点近傍に設けられていることを特徴とする請求項１または２記載のカメラファインダー。
【請求項４】
前記バネ部材によって前記レンズ室が付勢される方向の前記レンズ鏡筒の内壁に前記レンズ室の前記光軸方向への移動をガイドする基準面が形成され、
前記レンズ室の外壁に前記基準面に対して位置決めされる位置決め部が形成されることを特徴とする請求項１〜３の何れか一項に記載のカメラファインダー。
【請求項５】
前記バネ部材は、前記レンズ室の外壁に取付けられるバネ形成板に形成され、
前記バネ形成板は、前記レンズ室の外壁に取付けられる際に誤組を防止する誤組防止部を有することを特徴とする請求項１〜４の何れか一項に記載のカメラファインダー。
【発明の詳細な説明】
【技術分野】
【０００１】
本発明は、カメラファインダーに関するものである。
【背景技術】
【０００２】
従来、レンズ鏡筒内において、レンズ群を収容するレンズ室をガイド軸に沿って移動させることにより、レンズ室の移動時におけるガタつきを低減する機構が知られている（例えば、特許文献１参照）。
【先行技術文献】
【特許文献】
【０００３】
【特許文献１】特開２００３−２６２７７９号公報
【発明の概要】
【発明が解決しようとする課題】
【０００４】
しかし、ガイド軸に沿ってレンズ室を移動させるようにするためには、ガイド軸を通す構造をレンズ室に設けなくてはならず、レンズ室が大きくなるという問題があった。
【０００５】
本発明の目的は、レンズ鏡筒内における移動時のガタつきを防止する機構を備える小型のレンズ室を有するカメラファインダーを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明のカメラファインダーは、複数のレンズ（１４ａ）を収容するレンズ室（１４）をレンズ鏡筒（１６）内において、前記複数のレンズの光軸方向に移動可能に構成されたカメラファインダー（４）であって、前記レンズ室の外壁に、前記レンズ室から前記レンズ鏡筒の内壁を付勢するバネ部材（３４）を備えることを特徴とする。
【発明の効果】
【０００８】
本発明によれば、レンズ鏡筒内における移動時のガタつきを防止する機構を備える小型のレンズ室を有するカメラファインダーを提供することができる。
【図面の簡単な説明】
【０００９】
【図１】実施の形態に係るカメラファインダーを備えたデジタルカメラの背面を示す斜視図である。
【図２】実施の形態に係るカメラファインダーを構成するレンズ鏡筒を背面側から視た斜視図である。
【図３】実施の形態に係るレンズ室を正面上側から視た斜視図である。
【図４】実施の形態に係るレンズ室を正面下側から視た斜視図である。
【図５】実施の形態に係るバネ形成板を示す図である。
【図６】実施の形態に係るレンズ室とレンズ鏡筒を示す斜視図である。
【図７】実施の形態に係るカメラファインダーを正面側から視た図である。
【図８】実施の形態に係るカメラファインダーの側断面図である。
【発明を実施するための形態】
【００１０】
以下、図面を参照して、本発明の実施の形態に係るカメラファインダーについて説明する。図１は実施の形態に係るカメラファインダーを備えた撮像装置であるデジタルカメラの背面を示す斜視図である。デジタルカメラ２の背面上部には、カメラファインダー４、撮影モードダイアル６、コマンドダイアル７等が設けられている。
【００１１】
カメラファインダー４は、不図示の撮像素子から出力される撮像信号に基づく被写体像を表示する液晶表示素子を備えており、接眼窓４ａ及び内部に配置されたレンズ１４ａ（図３参照）を介して被写体像の観察を行なう。カメラファインダー４の左側面には、視度調節のための視度調節ダイアル４ｂが設けられている。撮影モードダイアル６は、撮影モード選択用のダイアルである。コマンドダイアル７は、コマンド選択用のダイアルであり、シャッタースピードや露出補正値の変更等に用いられる。
【００１２】
デジタルカメラ２の背面には、背面液晶モニター８、マルチセレクター１０、ボタン入力部１２が設けられている。背面液晶モニター８は、撮像素子から出力される撮像信号に基づいてスルー画像や撮影画像の表示を行なうと共に、撮影に関する各種情報を表示する。
【００１３】
マルチセレクター１０は、回転部と、中央部のＯＫボタンとから構成されている。回転部の操作によりメニュー画面に表示されている設定項目の選択等を行ない、ＯＫボタンを押下することにより選択した設定項目を確定する。
【００１４】
ボタン入力部１２は、撮影画像を表示する際に押下される再生ボタン、メニュー画面を表示する際に押下されるメニューボタン、カメラの設定内容や画像情報の表示／非表示を切り替える際に押下される表示切り替えボタン及び撮影画像を削除する際に押下される削除ボタンを含んでいる。
【００１５】
図２は実施の形態に係るカメラファインダー４を構成するレンズ鏡筒１６を背面側から視た斜視図である。レンズ鏡筒１６には、レンズ室１４（図３、図４参照）を収容するレンズ室収容部１６ａ、視度調節ダイアル４ｂの回転方向に応じてレンズ室１４をレンズ１４ａの光軸方向に移動させる移動機構１８が設けられている。
【００１６】
図３は実施の形態に係るレンズ室１４を正面上側から視た斜視図、図４は実施の形態に係るレンズ室１４を正面下側から視た斜視図である。レンズ室１４は、光軸方向に沿って配置された複数枚のレンズ１４ａを収容している。レンズ室１４の一方の側面には、移動機構１８に連結されている不図示の駆動軸を挿通させる長孔状の接続孔２２が設けられている。またレンズ室１４の他方の側面（接続孔２２が形成されていない側の側面）と下面にはレンズ室１４をレンズ鏡筒１６内に収容する際にレンズ鏡筒１６に対して位置決めするための凸形状の位置決め部２４が形成されている。またレンズ室１４の上面には、バネ形成板２６を組付ける際の誤組防止に用いられる凸部２８が形成されている。
【００１７】
位置決め部２４は、図４に示すように各面の四隅に形成されている。レンズ室１４の外壁には、バネ形成板２６が組付けられている。バネ形成板２６は、略Ｌ字形状を有しており、レンズ室１４の上面と図３に示す右側の側面に沿うようにレンズ室１４に対して組付けられている。
【００１８】
図５は実施の形態に係るバネ形成板２６を示す斜視図である。バネ形成板２６の各面には、２つの板バネ状のバネ部材３４がレンズ１４ａの光軸方向の前後に形成されている。ここでバネ形成板２６の側面に形成されたバネ部材３４は、レンズ室１４に形成された接続孔２２の上下にそれぞれ位置している。バネ形成板２６の上面には、レンズ室１４の凸部２８に嵌合される開口３０が形成されている。上記のように形成されたバネ形成板２６は、開口３０をレンズ室１４の凸部２８に嵌合させることによって、レンズ室１４に組付けられ固定されている。ここで開口３０は、凸部２８の外径に対して隙間が小さくなるように形成されていることから、バネ形成板２６のガタつきを防止することができる。
【００１９】
図６は実施の形態に係るレンズ室１４とレンズ鏡筒１６を示す斜視図である。レンズ鏡筒１６の内壁には、レンズ室１４の移動をガイドする凹形状断面であってレンズ１４ａの光軸方向に延びる基準面３６が設けられている。基準面３６は、レンズ室１４に形成された各位置決め部２４に対向するレンズ室１４の一方の内壁及び下面に形成されている。レンズ室１４は、位置決め部２４が基準面３６に位置決めされ、レンズ鏡筒１６内に組み込まれる。
【００２０】
図７は実施の形態に係るカメラファインダーを正面側から視た図である。バネ形成板２６のバネ部材３４は、レンズ室１４がレンズ鏡筒１６内に組み込まれたとき、レンズ室１４の外壁とレンズ鏡筒１６の内壁との隙間で撓んだ状態となる。そのためバネ部材３４は、レンズ鏡筒１６の内壁を付勢した状態となる。従ってレンズ室１４は、バネ部材３４によって位置決め部２４が設けられている側、即ち下方向および一側方向（図７においては左方向）の２方向へ付勢された状態となる。
【００２１】
ここでバネ形成板２６におけるバネ部材３４の根元部分がレンズ室１４に対するバネ部材３４の付勢力点となるが、この力点のレンズ室１４に対する位置は、レンズ鏡筒１６内においてレンズ室１４が図８に示す矢印方向に移動しても変化しない。
【００２２】
本実施の形態に係るカメラファインダーによれば、レンズ鏡筒１６内でレンズ室を図８に示す矢印方向に移動させた場合でも、レンズ室１４に対するバネ付勢の力点及び力量が変わらないため、レンズ室１４のガタつきを防止することができ、レンズ室１４を基準面３６に沿ってスムーズに移動させることができる。即ち、バネ形成板２６の各バネ部材３４によってレンズ室１４の上方及び一側方から付勢するので、レンズ室１４の光軸に直交する方向のガタつきを防止することができ、更にバネ部材３４をレンズ１４ａの光軸方向に対して前後に配置しているので、レンズ室１４の光軸方向のガタつきを防止することができる。従って、レンズ室１４を基準面３６に沿ってスムーズに移動させることができる。
【００２３】
また、従来のようなシャフトをレンズ鏡筒に通す必要がないので、レンズ鏡筒を小型化することができる。
【００２４】
また、レンズ室１４の接続孔２２の近傍の上下にバネ部材３４を配置しているため、ガタつきの要因となるレンズ室１４にかかるレンズ鏡筒１６とバネ部材３４との摩擦力による回転モーメントを低減することができる。
【００２５】
また、レンズ室１４に凸部２８を設け、バネ形成板２６の上面にレンズ室１４の凸部２８が嵌合する開口３０を設けたことによって、見た目でレンズ室１４に対するバネ形成部２６の組付向きが明らかとなって、レンズ室１４へのバネ形成部２６の誤組を防止することができる。
【符号の説明】
【００２６】
２…デジタルカメラ、４…カメラファインダー、１４…レンズ室、１４ａ…レンズ、１６…レンズ鏡筒、１８…移動機構、２６…バネ形成板、３４…バネ部材。
【図１】
2014071273.tif 000003
【図２】
2014071273.tif 000004
【図３】
2014071273.tif 000005
【図４】
2014071273.tif 000006
【図５】
2014071273.tif 000007
【図６】
2014071273.tif 000008
【図７】
2014071273.tif 000009
【図８】
2014071273.tif 000010